(57)【要約】【課題】医療用ポンプの被侵入部に液体が侵入することを防止でき、容易に交換できる医療用ポンプカバーを提供すること。【解決手段】医療用ポンプカバー５０は、医療用ポンプ１に使用される医療用ポンプカバー５０であって、医療用ポンプ１の外面部３２には、液体が侵入可能な被侵入部が設けられ、外面部に当接し、当該外面部３２を保持する保持部５１と、保持部５１に支持され、被侵入部に液体が侵入することを防止する侵入防止部５２とを備え、医療用ポンプ１に着脱可能に構成されている。【選択図】図３
2018078963.tif 000002
【特許請求の範囲】
【請求項１】
医療用ポンプに使用される医療用ポンプカバーであって、
前記医療用ポンプの外面部には、液体が侵入可能な被侵入部が設けられ、
前記外面部に当接し、当該外面部を保持する保持部と、
前記保持部に支持され、前記被侵入部に前記液体が侵入することを防止する侵入防止部とを備え、
前記医療用ポンプに着脱可能に構成されていることを特徴とする医療用ポンプカバー。
【請求項２】
請求項１に記載の医療用ポンプカバーにおいて、
前記保持部は、前記医療用ポンプを挟持可能に構成され、当該挟持により前記外面部を保持することを特徴とする医療用ポンプカバー。
【請求項３】
請求項１または請求項２に記載の医療用ポンプカバーにおいて、
前記被侵入部は、凹部であり、
前記侵入防止部は、前記凹部に嵌合する突起を備えていることを特徴とする医療用ポンプカバー。
【請求項４】
請求項３に記載の医療用ポンプカバーにおいて、
前記突起は、前記凹部の底面に密着する形状を有していることを特徴とする医療用ポンプカバー。
【請求項５】
請求項１または請求項２に記載の医療用ポンプカバーにおいて、
前記侵入防止部は、前記被侵入部を覆う吸盤を備えていることを特徴とする医療用ポンプカバー。
【請求項６】
請求項１または請求項２に記載の医療用ポンプカバーにおいて、
前記侵入防止部は、前記被侵入部を覆う被覆部と、前記被覆部の前記被侵入部との対向面に設けられ、前記被侵入部の周囲に粘着する粘着部とを備えていることを特徴とする医療用ポンプカバー。
【請求項７】
請求項１から請求項６のいずれか１項に記載の医療用ポンプカバーにおいて、
前記保持部は、当該保持部を貫通する開口部を備えていることを特徴とする医療用ポンプカバー。
【請求項８】
請求項１から請求項７のいずれか１項に記載の医療用ポンプカバーにおいて、
他の前記医療用ポンプカバーに対して識別可能な外観を有する識別部を備えていることを特徴とする医療用ポンプカバー。
【発明の詳細な説明】
【技術分野】
【０００１】
本発明は、医療用ポンプカバーに関する。
【背景技術】
【０００２】
従来、医療用ポンプに使用される医療用ポンプカバーが知られている（例えば、特許文献１参照）。
特許文献１に記載の医療用ポンプカバーは、輸液ポンプのコネクタ（被侵入部）に被せるキャップで構成され、コネクタから輸液ポンプ内に薬液が侵入することを防止する。
【先行技術文献】
【特許文献】
【０００３】
【特許文献１】特開２００５−２５３９９９号公報
【発明の概要】
【発明が解決しようとする課題】
【０００４】
しかしながら、特許文献１に記載されたような従来の医療用ポンプカバーは、医療用ポンプに備え付けられたものであるため、必要に応じて取り外したり、交換したりすることができないという問題がある。
また、医療従事者は、医療用ポンプが使用されていないことを、被侵入部に装着された医療用ポンプカバーから認識し得るが、前記の医療用ポンプカバーは医療用ポンプに常時備え付けられているので、医療用ポンプの使用状況を一見して把握しにくいという問題がある。
【０００５】
本発明の目的は、医療用ポンプの被侵入部に液体が侵入することを防止でき、容易に交換できる医療用ポンプカバーを提供することにある。
本発明の別の目的は、医療用ポンプの使用状況を容易に把握できる医療用ポンプカバーを提供することにある。
【課題を解決するための手段】
【０００６】
本発明の医療用ポンプカバーは、医療用ポンプに使用される医療用ポンプカバーであって、前記医療用ポンプの外面部には、液体が侵入可能な被侵入部が設けられ、前記外面部に当接し、当該外面部を保持する保持部と、前記保持部に支持され、前記被侵入部に前記液体が侵入することを防止する侵入防止部とを備え、前記医療用ポンプに着脱可能に構成されていることを特徴とする。
【０００７】
本発明によれば、医療用ポンプカバーに侵入防止部が設けられるとともに、医療用ポンプに着脱可能に構成されているため、医療用ポンプの被侵入部に液体が侵入することを防止でき、医療用ポンプカバーを必要に応じて取り外したり、交換したりすることができる。
また、医療用ポンプを使用していないときは医療用ポンプカバーを取り外せるため、医療用ポンプカバーが医療用ポンプに装着されている場合は医療用ポンプが使用され、装着されていない場合は使用されていないと認識できるので、医療用ポンプの使用状況を容易に把握することができる。
【０００８】
本発明の医療用ポンプカバーにおいて、前記保持部は、前記医療用ポンプを挟持可能に構成され、当該挟持により前記外面部を保持することが好ましい。
【０００９】
本発明によれば、保持部が医療用ポンプを挟持可能に構成されているため、医療用ポンプカバーで医療用ポンプを確実に保持することができる。
【００１０】
本発明の医療用ポンプカバーにおいて、前記被侵入部は、凹部であり、前記侵入防止部は、前記凹部に嵌合する突起を備えていることが好ましい。
【００１１】
本発明によれば、侵入防止部が凹部に嵌合する突起を備えているため、簡易な構成で被侵入部に液体が侵入することを防止できる。
【００１２】
本発明の医療用ポンプカバーにおいて、前記突起は、前記凹部の底面に密着する形状を有していることが好ましい。
【００１３】
本発明によれば、突起が凹部の底面に密着する形状を有しているため、凹部内の隙間を埋めることができ、凹部内に液体が侵入する余地を排除することができるので、凹部に液体が侵入することを確実に防止することができる。
【００１４】
本発明の医療用ポンプカバーにおいて、前記侵入防止部は、前記被侵入部を覆う吸盤を備えていることが好ましい。
【００１５】
本発明の医療用ポンプカバーにおいて、前記侵入防止部は、前記被侵入部を覆う被覆部と、前記被覆部の前記被侵入部との対向面に設けられ、前記被侵入部の周囲に粘着する粘着部とを備えていることが好ましい。
【００１６】
これらの本発明によれば、多様な形態の侵入防止部が得られるので、使用者の要望や医療用ポンプの外面部の材質、形状等に合った医療用ポンプカバーを提供することができる。
【００１７】
本発明の医療用ポンプカバーにおいて、前記保持部は、当該保持部を貫通する開口部を備えていることが好ましい。
【００１８】
本発明によれば、保持部が開口部を備えているため、医療用ポンプカバーの軽量化や材料の抑制を図ることができる。
【００１９】
本発明の医療用ポンプカバーは、他の前記医療用ポンプカバーに対して識別可能な外観を有する識別部を備えていることが好ましい。
【００２０】
本発明によれば、識別可能な外観を有する識別部が設けられているため、医療用ポンプに装着された医療用ポンプカバーを、別の医療用ポンプに装着された他の医療用ポンプカバーに対して識別することができ、これにより医療用ポンプを識別することができる。
【図面の簡単な説明】
【００２１】
【図１】本発明の一実施形態に係る医療用ポンプの斜視図。
【図２】医療用ポンプの背面図。
【図３】医療用ポンプカバーが装着された医療用ポンプの後方からの斜視図。
【図４】図３の医療用ポンプカバーの斜視図。
【図５】図３の医療用ポンプカバーが装着された医療用ポンプの前方からの斜視図。
【図６】他の医療用ポンプカバーが装着された医療用ポンプの前方からの斜視図。
【図７】他の医療用ポンプカバーが装着された医療用ポンプの前方からの斜視図。
【図８】変形例に係る医療用ポンプカバーの斜視図。
【図９】変形例に係る医療用ポンプカバーの斜視図。
【図１０】変形例に係る医療用ポンプカバーを示す図。
【発明を実施するための形態】
【００２２】
以下、本発明の一実施形態を図面に基づいて説明する。
図１において、医療用ポンプ１は、輸液チューブ２を押圧して輸液を行う輸液ポンプである。医療用ポンプ１は、開閉式のドア部２０と、ドア部２０によって前面が覆われる箱状の本体部３０と、本体部３０を支持する脚部４０とを備えている。
【００２３】
ドア部２０は、操作部２１、表示部２２、および通信部２３を備えている。
【００２４】
操作部２１は、押圧可能な複数のボタンを備え、これらのボタンを押圧することで医療用ポンプ１に対する各種操作が可能に構成されている。操作部２１では、例えば、輸液の単位時間あたりの流量や、輸液の予定量の設定、点検モードの選択、輸液の開始や停止等の操作が行えるようになっている。
【００２５】
表示部２２は、液晶などを用いた表示パネルと、各種報知用のランプとで構成される。表示部２２は、輸液の流量の設定値および実績値、輸液の予定量および積算量、輸液の完了、各種警報情報、輸液チューブ２の閉塞圧力の設定レベル等を表示する。
【００２６】
通信部２３は、ＮＦＣ（Near Field Communication）規格による近距離無線通信が可能に構成されている。例えば、通信部２３は、Felica（登録商標）ポートを有するパーソナルコンピュータや、Felica（登録商標）機能付きの携帯情報端末等の外部端末と通信を行うことができる。この通信部２３により、外部端末から注射箋の識別ＩＤ、輸液の流量、輸液の予定量等の注射箋情報を受信したり、輸液ごとに記録された輸液履歴を外部端末に送信したりすることができる。
【００２７】
本体部３０は、上部に設けられた取っ手３１と、外面部としての背面部３２とを備えている。
【００２８】
図２に示すように、背面部３２は、薬液等の液体が侵入可能な被侵入部としての凹部３３と、交流電源コネクタ３４と、直流電源コネクタ３５と、その他のコネクタ３６とを備えている。
凹部３３は、平面視円形状で背面部３２から前面側に窪んだ形状とされ、ねじ３７の頭部を収容し、その深さがねじ３７の頭部の厚さよりも深く設定されている。
【００２９】
図３において、医療用ポンプカバー（以下、単にポンプカバーと称する）５０は、医療用ポンプ１に着脱可能に構成され、その全体がエラストマー等の弾力性を有する樹脂で一体成形されている。
ポンプカバー５０は、背面部３２を保持する保持部５１と、保持部５１に支持され、医療用ポンプ１の凹部３３（図２参照）に液体が侵入することを防止する侵入防止部５２と、他のポンプカバー５０Ａ、５０Ｂ（図６、７参照）に対して識別可能な外観を有する識別部５３とを備えている。
【００３０】
保持部５１は、医療用ポンプ１の背面部３２を挟持可能に構成され、当該挟持により背面部３２を保持する。保持部５１は、医療用ポンプ１の背面部３２に側面３２Ａ側から当接する側面壁部５１Ａと、背面部３２に背面３２Ｂ側から当接する背面壁部５１Ｂとを備えている。
側面壁部５１Ａは、医療用ポンプ１の背面部３２の側面３２Ａおよび上面３２Ｃに沿って連続した形状とされ、平面視で下方部を欠いた逆Ｕ字形状を有している。側面壁部５１Ａの水平方向の幅は、背面部３２の幅よりも小さく設定され、当該背面部３２を挟持できるように構成されている。
背面壁部５１Ｂは、側面壁部５１Ａの内縁全体から内方に延設され、背面部３２の外縁に沿って１周連続する外縁形状を有している。背面壁部５１Ｂは、当該背面壁部５１Ｂを貫通する開口部５１Ｃを備え、当該開口部５１Ｃによって肉抜きされている。開口部５１Ｃは、背面壁部５１Ｂの外縁部および侵入防止部５２を残してくり抜くように１つ設けられ、開口部５１Ｃを介して医療用ポンプ１の各コネクタ３４〜３６に接続できるようになっている。
【００３１】
図３および図４に示すように、侵入防止部５２は、凹部３３を覆う被覆部５２Ａと、被覆部５２Ａの凹部３３との対向面５２Ｂに設けられ、凹部３３に嵌合する突起５２Ｃとを備えている。
被覆部５２Ａは、背面壁部５１Ｂからその内方に延設され、平面視略半円の外縁形状を有している。
突起５２Ｃは、その外径が凹部３３の内径よりも大きく設定され、凹部３３の底面を含む内面全体に密着する形状を有している。突起５２Ｃの先端部には、凹部３３内のねじ３７の頭部と同じ形状を有する窪み５２Ｄが設けられている。
【００３２】
識別部５３は、その形状および色で識別力を発揮するように構成されている。識別部５３は、側面壁部５１Ａの上部２箇所から上方に長く延設されるとともに、当該識別部５３を含むポンプカバー５０全体にピンク色が付され、うさぎの耳を想起させる形状および色になっている。
【００３３】
以上のポンプカバー５０を医療用ポンプ１に装着する際は、その突起５２Ｃを医療用ポンプ１の凹部３３に嵌合させつつ、医療用ポンプ１の背面部３２を挟持するように当該背面部３２に保持部５１をはめ込む。これにより、ポンプカバー５０の被覆部５２Ａが背面部３２に当接しつつ凹部３３を覆うとともに、突起５２Ｃが凹部３３に嵌合するため、凹部３３内に液体が侵入することを防止することができる。
【００３４】
また、図５に示すように、ポンプカバー５０を医療用ポンプ１に装着し、当該医療用ポンプ１を水平面内の任意の方向から見たときに、識別部５３が視認可能に構成されている。このため、ポンプカバー５０が医療用ポンプ１に装着されていることを容易に把握することができる。
【００３５】
また、医療用ポンプ１のうち、例えば、特定の薬液が使用されているもの、流量等について特定の設定がされているもの、特定の患者に使用されているものを判別したい場合、判別対象となる医療用ポンプ１にポンプカバー５０を装着しておくことで、当該医療用ポンプ１を速やかに判別することができる。
【００３６】
さらに、図６に示す識別部５３Ａや、図７に示す識別部５３Ｂのように、識別部５３とは外観の異なる識別部５３Ａ、５３Ｂを備えたポンプカバー５０Ａ、５０Ｂを用意し、薬液の種類、輸液の予定量、単位時間当たりの流量、患者等の医療用ポンプ１の使用条件に応じてポンプカバー５０、５０Ａ、５０Ｂを選択的に装着することで、複数の医療用ポンプ１が使用されている場合でも、各医療用ポンプ１の使用条件を容易に判別することができる。
【００３７】
図６に示す識別部５３Ａは、側面壁部５１Ａの上部２箇所からそれぞれ尖った頂点を有する略三角形状となるように延設されるとともに、当該識別部５３Ａを含む全体に黒色が付され、猫の耳を想起させる形状および色になっている。
図７に示す識別部５３Ｂは、側面壁部５１Ａの上部２箇所からそれぞれ略半円形状となるように延設されるとともに、当該識別部５３Ｂを含む全体に茶色が付され、熊の耳を想起させる形状および色になっている。
【００３８】
以上のような実施形態によれば、ポンプカバー５０、５０Ａ、５０Ｂに侵入防止部５２が設けられるとともに、医療用ポンプ１に着脱可能に構成されているため、医療用ポンプ１の凹部３３に液体が侵入することを防止でき、ポンプカバー５０、５０Ａ、５０Ｂを必要に応じて取り外したり、交換したりすることができる。
また、医療用ポンプ１を使用していないときはポンプカバー５０、５０Ａ、５０Ｂを取り外せるため、ポンプカバー５０、５０Ａ、５０Ｂが医療用ポンプ１に装着されている場合は医療用ポンプ１が使用され、装着されていない場合は使用されていないと認識できるので、医療用ポンプ１の使用状況を容易に把握することができる。
【００３９】
また、保持部５１が医療用ポンプ１を挟持可能に構成されているため、ポンプカバー５０、５０Ａ、５０Ｂで医療用ポンプ１を確実に保持することができる。
【００４０】
また、侵入防止部５２が凹部３３に嵌合する突起５２Ｃを備えているため、簡易な構成で凹部３３に液体が侵入することを防止できる。
【００４１】
また、突起５２Ｃが凹部３３の底面に密着する形状を有しているため、凹部３３内の隙間を埋めることができ、凹部３３内に液体が侵入する余地を排除することができるので、凹部３３に液体が侵入することを確実に防止することができる。
【００４２】
また、保持部５１が開口部５１Ｃを備えているため、ポンプカバー５０、５０Ａ、５０Ｂの軽量化や材料の抑制を図ることができる。また、開口部５１Ｃを設けたことにより、ポンプカバー５０、５０Ａ、５０Ｂが、各コネクタ３４〜３６に接続されたるケーブルに干渉することを防止できる。
【００４３】
また、識別可能な外観を有する識別部５３が設けられているため、医療用ポンプ１に装着されたポンプカバー５０を、別の医療用ポンプ１に装着された他のポンプカバー５０Ａ、５０Ｂに対して識別することができ、これにより医療用ポンプ１を識別することができる。
【００４４】
［変形例］
本発明は前述の実施形態に限定されるものではなく、本発明の目的を達成できる範囲での変形、改良等は本発明に含まれる。
例えば、図８に示すように、ポンプカバー５０Ｃは、突起５２Ｃの代わりに、凹部３３の周囲に粘着する粘着部５２Ｅを備えてもよいし、被覆部５２Ａの対向面５２Ｂにおける突起５２Ｃの周囲に粘着部５２Ｅを備えてもよい。
粘着部５２Ｅは、被覆部５２Ａの対向面５２Ｂにおいて、凹部３３の周囲を囲む位置に設けられている。
【００４５】
また、図９に示すように、ポンプカバー５０Ｄは、突起５２Ｃの代わりに吸盤５２Ｆを備えてもよい。
吸盤５２Ｆは、凹部３３全体を覆う大きさとされ、その吸着面が凹部３３に対向するように被覆部５２Ａの対向面５２Ｂに支持されている。
【００４６】
また、図１０に示すように、ポンプカバー５０Ｅは、保持部であって侵入防止部としての吸盤５４と、吸盤５４に支持された識別部５３Ｃとを備え、吸盤５４で凹部３３を覆うように医療用ポンプ１の背面部３２に装着されてもよい、
識別部５３Ｃは、図１０に示すように、識別部５３と同様の形状を有しているが、識別部５３Ａ、５３Ｂと同様の形状であってもよい。
【００４７】
図８から図１０に示す構成によれば、多様な形態の侵入防止部５２が得られるので、ポンプカバー５０、５０Ａ、５０Ｂの他にも、使用者の要望や医療用ポンプ１の背面部３２の材質、形状等に合ったポンプカバー５０Ｃ〜５０Ｅを提供することができる。
【００４８】
ポンプカバー５０、５０Ａ〜５０Ｅは、各要素を個別に製造した後で全体を一体にしてもよい。また、ポンプカバー５０Ａ、５０Ｂは、突起５２Ｃの代わりにまたは突起５２Ｃとともに粘着部５２Ｅを備えてもよいし、突起５２Ｃの代わりに吸盤５２Ｆを備えてもよい。
ポンプカバー５０、５０Ａ〜５０Ｅは、医療用ポンプ１の背面部３２以外の外面部に着脱可能に構成されてもよく、例えば、医療用ポンプ１の前面部や側面部に装着されてもよい。
【００４９】
保持部５１は、前記実施形態のものに限られず、例えば、医療用ポンプ１の側面３２Ａに吸着したり、粘着したりして、医療用ポンプ１を保持するものでもよい。また、保持部５１は、医療用ポンプ１を保持するものであれば、当該医療用ポンプ１を挟持しない構成でもよい。
側面壁部５１Ａは、医療用ポンプ１の背面部３２の側面３２Ａおよび上面３２Ｃに沿って連続した形状でなくてもよく、例えば、背面部３２の側面３２Ａに対応する部分と上面３２Ｃに対応する部分とが不連続であってもよいし、側面３２Ａに対応する部分が複数に分割して設けられてもよい。また、側面壁部５１Ａは、側面３２Ａに対応する部分と上面３２Ｃに対応する部分とを、背面部３２の下面側で接続した形状であってもよい。
背面壁部５１Ｂは、背面部３２の外縁に沿って連続する外縁形状を有していなくてもよく、例えば、側面壁部５１Ａと侵入防止部５２とを接続する部分に設けられてもよい。また、背面壁部５１Ｂは、複数の開口部５１Ｃを備えてもよく、この場合、医療用ポンプ１の各コネクタ３４〜３６の位置に各開口部５１Ｃを設けてもよい。
【００５０】
侵入防止部５２は、凹部３３以外の凹部や孔部を被侵入部として、当該被侵入部に液体が侵入することを防止するように構成されてもよい。この場合、侵入防止部５２は、被覆部５２Ａや突起５２Ｃを被侵入部に合わせた大きさ、形状としてもよいし、それぞれ被侵入部の大きさ、形状に合わせた粘着部５２Ｅや吸盤５２Ｆを備えてもよい。
【００５１】
識別部５３、５３Ａ〜５３Ｃは、識別可能な外観を有するものであれば、前記実施形態以外の形状を採用してもよく、例えば、種類の異なる昆虫、植物、建物、車、電車、飛行機、船等の形状であってもよいし、テレビや漫画のキャラクター形状であってもよい。
識別部５３、５３Ａ〜５３Ｃは、前記実施形態以外の色を付してもよく、複数の色を使用したり、ストライプ、まだら、水玉等の模様を付したりしてもよい。また、各識別部５３、５３Ａ〜５３Ｃは、形状が同じで異なる色を付したものを複数用意してもよく、例えば、識別部５３にピンクを付したもの、黒色を付したもの、茶色を付したものを用意し、各識別部５３、５３Ａ〜５３Ｃを色で識別するようにしてもよい。
識別部５３、５３Ａ〜５３Ｃは、色を電気的に発光してもよく、例えば、ピンク色を発光する識別部５３と、青色を発光する識別部５３と、黄色を発光する識別部５３を用意し、各識別部５３を色で識別してもよい。また、識別部５３、５３Ａ〜５３Ｃは、外部通信によって発光色を変えられるように構成され、医療用ポンプ１の通信部２３との通信によって、医療用ポンプ１の設定に応じて異なる色を発光させるようにしてもよい。
【００５２】
医療用ポンプ１は、ポンプカバー５０、５０Ａ〜５０Ｄが着脱可能であれば、前記実施例以外の構成であってもよい。
また、医療用ポンプ１は、シリンジポンプであってもよい。
【符号の説明】
【００５３】
１…医療用ポンプ、３２…背面部（外面部）、３３…凹部（被侵入部）、５０、５０Ａ〜５０Ｄ…医療用ポンプカバー、５１…保持部、５１Ｃ…開口部、５２…侵入防止部、５２Ａ…被覆部、５２Ｃ…突起、５２Ｅ…粘着部、５２Ｆ…吸盤、５３、５３Ａ〜５３Ｃ…識別部。
【図１】
2018078963.tif 000003
【図２】
2018078963.tif 000004
【図３】
2018078963.tif 000005
【図４】
2018078963.tif 000006
【図５】
2018078963.tif 000007
【図６】
2018078963.tif 000008
【図７】
2018078963.tif 000009
【図８】
2018078963.tif 000010
【図９】
2018078963.tif 000011
【図１０】
2018078963.tif 000012